(57)【要約】植物の栽培および育成装置の技術分野に関し、特に、多品種の植物の育苗栽培に適用し、且つ水、土壌や培地などによる育苗方法の需要を満たすＬＥＤ付き多段植物育苗装置に関する。前記ＬＥＤ付き多段植物育苗装置は、固定的に設置されている育苗架台と移動可能な育苗用パレット台車を含み、前記育苗架台はフレームを含み、前記フレームには光源が設けられ、前記移動可能な育苗用パレット台車はパレット棚を含み、前記パレット棚には少なくとも２つのパレットが設けられ、前記パレットには栽培トレイが設けられ、パレット棚の底部には移動可能装置が設けられ、前記パレット棚のパレットは前記育苗架台の光源に位置合わせされる。本発明は効率と生産能力が高く、モジュール化やスマート化を図る育苗を実現する立体的でスマートな多機能型育苗装置である。  【選択図】図１
2021513322.tif 000002
【特許請求の範囲】
【請求項１】
固定的に設置されている育苗架台と移動可能な育苗用パレット台車を含み、前記育苗架台はフレームを含み、前記フレームには光源が設けられ、
前記移動可能な育苗用パレット台車はパレット棚を含み、前記パレット棚には少なくとも２つのパレットが設けられ、前記パレットには栽培トレイが設けられ、パレット棚の底部には移動可能装置が設けられ、前記パレット棚上のパレットは育苗架台の光源に位置合わせされることを特徴とする多機能型育苗装置。
【請求項２】
前記栽培トレイはパレットに開設される栽培槽であることを特徴とする請求項１に記載の多機能型育苗装置。
【請求項３】
前記フレームは縦方向支持部材および頂部支持部材を含み、前記縦方向支持部材および／または頂部支持部材には通気ボードおよび通気装置が設けられることを特徴とする請求項１に記載の多機能型育苗装置。
【請求項４】
フレームの底部に、移動可能な育苗用パレット台車を位置決めして固定する支持脚が設けられる請求項１に記載の多機能型育苗装置。
【請求項５】
前記縦方向支持部材には環境制御モジュールが設けられることを特徴とする請求項１に記載の多機能型育苗装置。
【請求項６】
前記フレームの底部にはレールが設けられ、前記レールの幅は、パレット棚の底部に設けられる制動可能な車輪間の相対距離に合わせることを特徴とする請求項１に記載の多機能型育苗装置。
【請求項７】
前記レールには固定係止部が設けられ、前記移動可能な育苗用パレット台車には、該固定係止部に係合する係合部が設けられることを特徴とする請求項６に記載の多機能型育苗装置。
【請求項８】
前記頂部支持部材および／または縦方向支持部材の内には給水給電ラインが取り付けられ、前記給水給電ラインは隠蔽されて取り付けられることを特徴とする請求項１に記載の多機能型育苗装置。
【請求項９】
前記パレット棚には位置調節孔が設けられ、前記位置調節孔を介してパレット棚における前記パレットの取付高さを調節することを特徴とする請求項１に記載の多機能型育苗装置。
【請求項１０】
前記固定的に設置されている育苗架台は、１つまたは複数の移動可能な育苗用パレット台車と係合されるを特徴とする請求項１に記載の多機能型育苗装置。
【発明の詳細な説明】
【技術分野】
【０００１】
本発明は、植物の栽培および育成装置の技術分野に関し、特に、多品種の植物の育苗栽培に適用し、水、土壌や培地などによる育苗方法の需要を満たすＬＥＤ付き多段植物育苗装置に関する。
【背景技術】
【０００２】
育苗栽培の方法としては、室外栽培による育苗栽培方法はよく使われている。従来の育苗方法においては、地理的条件、気候や温度差など、多くの制限要因が存在するため、育成した苗に対して、さらに人工的な灌漑や、ＰＥフィルムによる温度と湿度の維持などの育苗技術が実施され、その発芽率および育苗状況が不均一になり、なお、ある要因が存在しているので、発芽が遅くなるか、又は発芽ができない状況につながる。
【０００３】
従来の育苗技術において、育苗装置には主にＬＥＤ人工光による室内栽培技術が実施されている。パレット棚式の多段構造および独立型育苗箱体構造の２種類がよく使われている。
【０００４】
パレット棚式を用いて土壌栽培を行う場合、人工的な灌漑が不均一になり、環境汚染につながる。水栽培を行う場合、手動で搬送する必要があり、搬送中、液体があふれやすいだけではなく、搬送速度が遅いため、大量搬送が難しい。箱体式育苗は、１つの装置を使用する一体化技術であり、通常、その使い方はパレット棚式による育苗と同様であり、いずれも、土壌栽培における人工的な灌漑が不均一になることや、水栽培においては、それを搬送して水平に持ち上げないため液体があふれることが発生する。それに、搬送をしやすいために装置を別途で追加する必要がある。手動で複数回搬送する必要があり、コストが高いため、そのような箱体装置は大量の育苗に向いていない。
【０００５】
従来技術において、パレット棚式育苗装置である場合、通常、パレットを介して取り付けや組み合わせを行い、ネジを介してＬＥＤランプ光源を固定し、固定型多段構造を構築する。パレットの高さを変更する場合、棚を８割取り外す必要があり、時間や人的コストが掛かるだけではなく、ツールなどを使用するのは必要であり、特に、一人での取り外しや取り付けが不可能である。独立型育苗箱体である場合、通常、両側からＬＥＤを発光させて育苗を行う方法を使用しており、補光の要件が求められるため、そして照明光の不均一を避けるために、パレットの高さが過度に低くなることができない。それに、コストが高く、破損が生じた場合、保守員によるメンテナンスが必要になるため、狭い面積でしか育苗できず、広い面積での栽培に向いていない。
【０００６】
前記のような、従来および先行の育苗技術を実施する装置において、汎用性および効率は前記の問題により制限されている。現在、育苗の分野において、主に３種類の方法がある。１つ目は農業ハウスで育苗を行うことであり、この育苗方法によって育てられている苗の成長は不均一であるだけではなく、敷地面積が大きく、メンテナンスに必要な工数が多い。２つ目はＬＥＤ付きパレット棚式の立体育苗栽培であり、播種後、栽培トレイを１つずつパレットに搬入して育苗を行い、その後、栽培トレイを１つずつパレットから搬出する必要があり、手動で灌漑する必要もあるため、操作が複雑になるため、大量の育苗に向いていない。３つ目は独立型育苗箱体であり、その装置のコストが高いため、大量の育苗に向いていない。
【発明の概要】
【発明が解決しようとする課題】
【０００７】
そのため、効率と生産能力が高く、モジュール化やスマート化を可能にする育苗栽培技術を実現する移動可能で立体的でスマートな多機能型育苗装置を提供する必要がある。
【課題を解決するための手段】
【０００８】
上記目的を達成するために、本発明は、固定的に設置されている育苗架台と移動可能な育苗用パレット台車を含み、前記育苗架台はフレームを含み、前記フレームには光源が設けられ、
【０００９】
前記移動可能な育苗用パレット台車はパレット棚を含み、前記パレット棚には少なくとも２つのパレットが設けられ、前記パレットには栽培トレイが設けられ、パレット棚の底部には移動可能装置が設けられ、前記パレット棚のパレットは育苗架台の光源に位置合わせされる多機能型育苗装置を提供する。
【００１０】
さらに、前記フレームが縦方向支持部材と頂部支持部材を含み、前記縦方向支持部材および／または頂部支持部材には通気ボードおよび通気装置が設けられ、前記複数のランプパネルは、前記縦方向支持部材の通気ボードに横方向に外へ延設される。
【００１１】
さらに、前記通気ボードには複数の排気孔が設けられ、前記通気装置が外部から空気を吸入し、気流を通気ボードの排気孔から排出することで、吸排気システムを構成する。
【００１２】
さらに、前記通気ボードには多段調節支持部材が固定され、ランプパネルは腕木支持部材を介して、多段調節支持部材に接続される。前記多段調節支持部材は、通気ボードに均一に設けられている固定式調節孔であり、腕木支持部材を介して、高さが異なる固定式調節孔に固定することで、ランプパネルの高さを調節する。
【００１３】
さらに、前記フレームに遮光シートが設けられ、前記フレームの底部に、移動可能な育苗用パレット台車を位置決めして固定する支持脚が設けられる。
さらに、前記縦方向支持部材には環境制御モジュールが設けられる。
【００１４】
さらに、前記フレームの底部にはレールが設けられ、前記レールの幅は、パレット棚の底部に設けられる制動可能な車輪間の相対距離に合わせる。
さらに、前記レールには固定係止部が設けられ、前記移動可能な育苗用パレット台車には、前記固定係止部に係合する係合部が設けられる。
【００１５】
さらに、前記頂部支持部材および／または縦方向支持部材の内には給水給電ラインが取り付けられ、前記給水給電ラインは隠蔽されて取り付けられる。
さらに、前記パレット棚には位置調節孔が設けられ、前記位置調節孔を介してパレット棚における前記パレットの取付高さを調節する。
【００１６】
さらに、前記移動可能な育苗用パレット台車には、ホッパーおよび／または水道管が設けられる。
前記技術案は、下記の技術効果で先行技術と相違する。
【００１７】
１．本発明は、移動可能なモジュールと固定型モジュールにより構成される多機能型育苗装置を提供する。固定型モジュールは育苗架台であり、育苗架台は光源モジュール、灌漑モジュールおよび環境制御モジュールにより構成される。光源モジュールはランプパネルと支持アームにより構成され、通気ボードに均一に設けられている固定式調節孔を介して、異なる高さに固定される。灌漑モジュールのメインダクトは固定モジュール内に隠蔽され、定期的な灌漑、点滴灌漑やスプリンクラー灌漑などの技術を実施できる。環境制御モジュールは上方通気ボードと裏側通気ボードにより構成され、育苗環境の均一性を制御し、育苗の均一な成長を確保する。移動可能なモジュールは育苗用パレット台車であり、育苗用パレット台車には、栽培トレイを載置するためのレールが設けられ、パレット棚には、パレット棚の高さを調節するための機構が設けられるため、異なる植物が成長した高さに応じてパレット棚の高さを速やかに調節することができ、搬送を容易にするか、又は搬送を自動化することができる。当該多機能型育苗装置はモジュール化を実現し、複数のモジュール（多機能型育苗装置）を一列や複数列に組み立てる、または分割して組み合わせることで、速やかに小型、中型または大型の育苗工場を構築することができる。
【００１８】
２．本発明では、複数セットのものをスプライシングして組み合わせることで、スペースを節約することができる。育苗用パレット台車を移動するか、又はそのパレットの高さを変更できるため、柔軟性が高い。これにより、スペースの使用率が低い、および育苗品種が少ない課題を解決する。そして、人的コストの削減および作業効率の向上を大幅に実現する。
【００１９】
３．本発明の換気冷却システムにおいては、簡単な独立環境制御システムモジュールを介して冷却し、それを直列に接続し散と・換気を一体化させることで冷却するのを実現して、冷却システム装置の開発コストを削減し、換気による散熱の面積を広くすることで苗の散熱効果を向上させる。
【００２０】
４．本発明の育苗装置において、載置体は立体的な中空構造であり、ＬＥＤランプ光源モジュールの位置を、パネルに設けられている固定式調節孔を介してパレットの高さに合わせて速やかに変更しており、ここで、手動で緩めるまたは締めることができるため、ツールを使用する必要がない。さらに、これに対応して、育苗装置の育苗用パレット台車に、固定式調節孔を介してパレットの高さに合わせて速やかに変更する調節手段を適用されている。
【図面の簡単な説明】
【００２１】
【図１】本発明の実施例の構造全体を示す立体図である。
【図２】本発明の実施例の育苗架台を示す立体図である。
【図３】本発明の実施例の育苗用パレット台車を示す立体図である。
【図４】本発明の実施例の育苗架台と育苗用パレット台車の組み合わせを示す立体図である。
【発明を実施するための形態】
【００２２】
以下、実施例および図面を参照しながら、技術案の技術内容、構造特徴、その目的および効果については具体的に説明する。
【００２３】
図１〜４に示すように、本実施例の発明は、固定的に設置されている育苗架台１０および移動可能な育苗用パレット台車２０を含み、前記育苗架台１０はフレーム１０１を含み、前記フレーム１０１は縦方向支持部材１０２と頂部支持部材１０３を含み、前記縦方向支持部材１０２と頂部支持部材１０３には通気ボード１０５と通気装置が設けられ、前記縦方向支持部材の通気ボード１０５には複数のランプパネル１０４が横方向に外へ延設される多機能型育苗装置を提供する。本実施例では、前記縦方向支持部材１０２には環境制御モジュールが設けられる。本実施例において、前記通気ボード１０５には複数の排気孔１０６が設けられ、前記通気装置が外部から空気を吸入し、気流を通気ボードの排気孔１０６から排出することにより、吸排気システムを構成する。前記複数の排気孔１０６は、ランプパネルの高さを調節する固定式調節孔１０６として定義されてもよい。本実施例ではさらに多段調節支持部材として定義される。前記多段調節支持部材は、通気ボードに均一に設けられている固定式調節孔１０６であるため、前記通気ボードには多段調節支持部材が固定され、ランプパネル１０４は腕木支持部材１０７を介して、多段調節支持部材に接続される。前記多段調節支持部材は、通気ボード１０５に均一に設けられている固定式調節孔１０６であり、腕木支持部材１０７を、高さが異なる固定式調節孔１０６に固定することで、ランプパネル１０４の高さを調節する。ランプパネル１０４には光源が設けられ、前記フレームには灌漑装置が設けられる。
【００２４】
前記移動可能な育苗用パレット台車２０はパレット棚２０１を含み、前記パレット棚２０１には複数のパレット２０２が設けられ、前記パレット２０２には、栽培トレイ２０３が着脱可能に接続される。他の実施例では、前記栽培トレイは、パレットに開設される栽培槽であってもよい。パレット棚２０１の底部には移動可能装置２０４が設けられ、前記移動可能装置２０４は、制動可能な車輪２０４である。前記パレット棚２０１上のパレット２０２は育苗架台上のランプパネル１０４に位置合わせされ、ランプパネル１０４は、パレット２０２の栽培トレイに対して、光源を提供する。
【００２５】
本実施例では、前記フレーム１０１には遮光シート（図示せず）が設けられ、フレームの底部には支持脚１０８が設けられ、前記支持脚１０８は、移動可能な育苗用パレット台車を位置決めして固定する。
【００２６】
本実施例では、前記フレームの底部にはレール１０９が設けられ、前記レール１０９の幅は、パレット棚の底部に設けられる制動可能な車輪間の相対距離に合わせる。支持脚１０８とレール１０９とは一体成形されるため、本実施例では、支持脚１０８は縦方向支持部材１０２との間でＴ字型構造を形成し、レール１０９は、対向して設置されている支持脚１０８に嵌め込まれる。
本実施例では、前記レール１０９には固定係止部が設けられ、前記移動可能な育苗用パレット台車には、前記固定係止部に係合する係合部が設けられる。
【００２７】
本実施例では、前記頂部支持部材１０３および／または縦方向支持部材１０２の内には給水給電ラインが取り付けられ、前記給水給電ラインは隠蔽されて取り付けられる。
【００２８】
本実施例では、前記パレット棚２０１には位置調節孔が設けられ、位置調節孔を介してパレット棚における前記パレット２０２の取付高さを調整する。具体的に、図４に示すように、位置調節孔２０５はパレット棚２０１の両側に設置され、手動で締めネジを調節することにより、高さが異なる位置調節孔２０５にパレット２０２を固定するように調節することで、パレットの高さは調節される。
本実施例では、前記移動可能な育苗用パレット台車には、ホッパーおよび／または水道管が設けられる。
【００２９】
本実施例の作動原理は下記のとおりである。まず、育苗用パレット台車２０の位置調節槽を調節することで、栽培する苗の高さに応じてパレット２０２の高さを調節する。若苗を栽培トレイ２０３内に栽培してから、栽培トレイ２０３をパレット２０２に置いて、それに応じて、育苗架台１０における、通気ボード１０５に設けられる多段調節支持部材を調節し、腕木支持部材１０７を、高さが異なる固定式調節孔１０６に固定することで、ランプパネル１０４の高さを調節して、当該ランプパネル１０４の高さを、育苗用パレット台車２０のパレット２０２に位置される栽培トレイ２０３の高さに合わせる。ランプパネル１０４上の光源が、栽培トレイ２０３全体上の植物に対して成長用光源を提供できる。固定型モジュール全体は育苗架台として、光源モジュール、灌漑モジュールおよび環境制御モジュールにより構成される。光源モジュールはランプパネルと支持アームにより構成され、通気ボードに均一に設けられている固定式調節孔を介して、それを異なる高さに固定する。灌漑モジュールのメインダクトは固定モジュール内に隠蔽され、定期的な灌漑、点滴灌漑やスプリンクラー灌漑などの技術を実施できる。環境制御モジュールは上方通気ボードと裏側通気ボードにより構成され、育苗環境の均一性を制御し、苗の均一な成長を確保する。移動可能なモジュールは育苗用パレット台車であり、育苗用パレット台車には、栽培トレイを載置するためのレールが設けられ、パレット棚には、パレット棚の高さを調節するための機構が設けられるため、異なる植物の成長の高さに応じてパレット棚の高さを速やかに調節することにより、搬送を容易にするか、搬送を自動化することができる。当該多機能型育苗装置はモジュール化を実現し、複数のモジュール（多機能型育苗装置）を一列や複数列に組み立てる、または分割して組み合わせることで、速やかに小型、中型または大型の育苗工場を構築することができる。
【００３０】
図１に示すように、前記固定的に設置されている育苗架台は、１つまたは複数の移動可能な育苗用パレット台車と係合されるため、本実施例では、複数セットのものを組み合わせることで、スペースを節約することができる。育苗用パレット台車の移動、またはパレットの高さの変更ができるため、柔軟性が高い。これにより、スペースの使用率が低い、および育苗品種が少ない課題を解決する。そして、人的コストの削減および作業効率の向上を大幅に実現する。
【００３１】
本実施例の換気冷却システムにおいて、簡単な独立環境制御システムモジュールを介して冷却し、それを直列に接続し散熱・換気を一体化させることで冷却するのを実現し、冷却システムの装置開発コストを削減し、換気による散熱の面積を広くすることで苗の散熱効果を向上させる。
【００３２】
本実施例の育苗装置において、載置体は立体的な中空構造であり、ＬＥＤランプ光源モジュールの位置を、パネルに設けられている固定式調節孔を介してパレットの高さに合わせて速やかに変更しており、ここで、手動で緩めるまたは締め付けることができるため、ツールを使用する必要がない。さらに、これに応じて、育苗装置の育苗用パレット台車に、固定式調節孔を介してパレット棚の高さに合わせて速やかに変更する調節手段を適用する。
【００３３】
なお、本明細書では、「第１」や「第２」などの関係を示す用語は、実体または操作を別の実体または操作から区別するためだけに使用され、そのような実体または操作の間では、実際な関係や順序が存在すると規定または示唆するとは限らない。そして、「含む」、「含有する」などの用語、またはそれ以外いかなる変形は、非排他的な包含を含むことを意図し、一連の要素を含む過程、方法、物または端末装置にはその要素を含むだけではなく、明記されていない他の要素、またはその過程、方法、物または端末装置が固有する要素を含む。さらに限定されていない限り、「…を含む」または「…を含有する」という用語に限定される要素は、前記要素を含む過程、方法、物や端末装置に他の要素が更に含まれることを除外することはない。なお、本明細書では、「…より大きい」、「…より小さい」、「…を超える」などの記述は、その数値を含まないと解釈され、「…以上」、「…以下」、「…以内」などの記述は、その数値を含むと解釈される。
【００３４】
前記実施例をそれぞれ説明したが、当業者は進歩性を持つ基本的概念を知った上で、これらの実施例に対してその他の変更や修正等を行うことができる。したがって、以上の説明は本発明の実施例にすぎず、本発明の特許請求の範囲を限定するものではない。本発明の明細書及び図面の内容を用いて実現した等価構成又はフローの等価変換、或いは他の関連する技術分野における直接的又は間接的な適用は、全て同様に本発明の特許保護範囲内に含まれる。
【符号の説明】
【００３５】
１０．  育苗架台
２０．  育苗用パレット台車
１０１．  フレーム
１０２．  縦方向支持部材
１０３．  頂部支持部材
１０４．  ランプパネル
１０５．  通気ボード
１０６．  排気孔
１０７．  腕木支持部材
１０８．  支持脚
１０９．  レール
２０１．  パレット棚
２０２．  パレット
２０３．  栽培トレイ
２０４．  移動可能装置
２０５．  位置調節孔
【図１】
2021513322.tif 000003
【図２】
2021513322.tif 000004
【図３】
2021513322.tif 000005
【図４】
2021513322.tif 000006
【国際調査報告】
2021513322.tif 000007
2021513322.tif 000008
2021513322.tif 000009
2021513322.tif 000010